(57)【要約】【課題】  ワイヤハーネスの寸法精度を高レベルで確保できるようにハーネス組立用基板上にワイヤハーネスを配索することが可能な布線治具を提供する。【解決手段】    ワイヤハーネスを構成する電線群４を支持する略Ｕ字形状のフォーク部５とフォーク部５に一体に設けられたシャフト部６とを有して構成される布線治具１において、略Ｕ字形状のフォーク部５を、最小径の電線群４ｂの外周に沿って円弧状に内側９ａの形状を形成した底部９と、底部９の両端からそれぞれ放射状に延びる拡開部１０ａ，１０ｂと、各拡開部１０ａ，１０ｂからそれぞれ互いに平行に延び、最大径の電線群４ａの直径と同じ長さの幅寸法Ｈ１を有して形成された一対の端部１１ａ，１１ｂとで構成し、シャフト部６を、固定用部材２を介して上下方向に移動自在にハーネス組立用基板３に固定した。【選択図】  図１
2006120404.tif 000002
【特許請求の範囲】
【請求項１】
ワイヤハーネスを構成する電線群を支持する略Ｕ字形状のフォーク部と該フォーク部に一体に設けられたシャフト部とを有して構成され、ハーネス組立用基板に設けられた貫通孔に挿通された前記シャフト部が固定手段によってハーネス組立用基板に対して固定される布線治具において、
前記略Ｕ字形状のフォーク部を、最小径の電線群の外周に沿って円弧状に内側形状を形成した底部と、該底部の両端からそれぞれ放射状に延びる拡開部と、該各拡開部からそれぞれ延び、最大径の電線群の直径と少なくとも同じ長さの幅寸法を有して形成された一対の端部とで構成し、前記シャフト部を、前記固定手段により上下方向に移動可能に固定する
ことを特徴とする布線治具。
【請求項２】
ワイヤハーネスを構成する電線群の幹線部を支持する略Ｕ字形状の幹線支持部と前記電線群の分岐線部を支持する略Ｕ字形状の分岐線支持部とを備えるフォーク部と、該フォーク部に一体に設けられたシャフト部とを有して構成され、ハーネス組立用基板に設けられた貫通孔に挿通された前記シャフト部が固定手段によって前記ハーネス組立用基板に対して固定される布線治具において、
前記略Ｕ字形状の幹線支持部を、最小径の幹線部の外周に沿って円弧状に内側形状を形成した底部と、該底部の両側からそれぞれ放射状に延びる拡開部と、該拡開部からそれぞれ延び、最大径の幹線部の直径と少なくとも同じ長さの幅寸法を有して形成された一対の端部とで構成し、また、前記略Ｕ字形状の分岐線支持部を、最小径の分岐線部の外周に沿って円弧状に内側形状を形成した底部と、該底部の両側からそれぞれ放射状に延びる拡開部と、該拡開部からそれぞれ延び、最大径の分岐線部の直径と少なくとも同じ長さの幅寸法を有して形成された一対の端部とで構成し、前記シャフト部を、前記固定手段により上下方向に移動可能に固定する
ことを特徴とする布線治具。
【発明の詳細な説明】
【技術分野】
【０００１】
本発明は、複数本纏めた電線群を所要形態に布線し、コネクタ、グロメット等の部品を取り付けて結束してワイヤハーネスの組み立てを行うハーネス組立用基板に固定されて、電線群を支持する布線治具に関する。
【背景技術】
【０００２】
自動車などの電気配線に用いられるワイヤハーネスは、ハーネス組立用基板上で電線群を所要形態に布線し、所定の部品を取り付けて結束して組み立てられる。このようなワイヤハーネスの組み立ての際、ハーネス組立用基板上において、該ハーネス組立用基板の所定位置に立設された布線治具により、ワイヤハーネスを構成する電線群が支持されるようになっている。
【０００３】
かかる布線治具は、一般的に、ハーネス組立用基板に固定されるシャフト部と該シャフト部に一体に設けられ電線群を支持するフォーク部とを備えて構成されている（例えば、特許文献１参照）。
【特許文献１】実開平５−６８０２８号公報
【発明の開示】
【発明が解決しようとする課題】
【０００４】
ここで、自動車の車種や品番毎に、ワイヤハーネスは様々な形態となっており、ワイヤハーネスを構成する電線群の径も様々である。また、１つのワイヤハーネスの中でも、部分によって電線群の径が異なっている。したがって、前記布線治具は、ワイヤハーネスを構成する電線群の径に合った幅寸法のフォーク部を有するものが用意されなければならない。しかしながら、数種類の幅寸法のフォーク部を有する布線治具を用意するとなると、部品点数が増え、管理上不都合である。
【０００５】
そこで、最大径の電線群に合わせた幅寸法のフォーク部を有する布線治具により、最大径よりも小径の電線群をも支持させてワイヤハーネスの配索を行うことが考えられる。しかし、このような布線治具により、例えば、径の異なる部分が含まれているワイヤハーネスを配策しようとすると、最大径よりも小径となっている部分が下方へ弛んでしまう。このような弛みは、電線群が、布線治具のフォーク部において、電線群の布線方向に対して直交する左右方向へずれることによっても生じるおそれがある。さらに、ワイヤハーネスを屈曲させる場所に配置された布線治具においては、設計された屈曲半径と誤差が生じる。
【０００６】
このように弛みや誤差などを生じた状態でハーネス組立用基板上にワイヤハーネスが配索された場合、ワイヤハーネスの長さが全体として短くなったり、あるいは長くなったりする。このようなことから、現在要求されるワイヤハーネスの高い寸法精度を確保することができないおそれがある。
【０００７】
本発明の目的は、ワイヤハーネスの寸法精度を高レベルで確保できるようにハーネス組立用基板上にワイヤハーネスを配索することが可能な布線治具を提供することにある。
【課題を解決するための手段】
【０００８】
上記課題を解決するために、請求項１に記載の発明は、ワイヤハーネスを構成する電線群を支持する略Ｕ字形状のフォーク部と該フォーク部に一体に設けられたシャフト部とを有して構成され、ハーネス組立用基板に設けられた貫通孔に挿通された前記シャフト部が固定手段によってハーネス組立用基板に対して固定される布線治具において、前記略Ｕ字形状のフォーク部を、最小径の電線群の外周に沿って円弧状に内側形状を形成した底部と、該底部の両端からそれぞれ放射状に延びる拡開部と、該各拡開部からそれぞれ延び、最大径の電線群の直径と少なくとも同じ長さの幅寸法を有して形成された一対の端部とで構成し、前記シャフト部を、前記固定手段により上下方向に移動可能に固定することを特徴とする。
【０００９】
かかる構成から、前記フォーク部で最大径の電線群を支持させる場合は、ハーネス組立用基板からのフォーク部の高さを任意の高さとして固定手段によってシャフト部を固定し、この状態で電線群を支持させる。このとき、フォーク部は、端部の幅寸法が、最大径の電線群の直径と少なくとも同じ幅寸法となっているので、最大径の電線群を挿入することができ、これを支持できる。一方で、最小径の電線群を前記フォーク部で支持させる場合、最大径の電線群が支持されている部分との間で電線群の上下方向への弛みが生じないよう、ハーネス組立用基板からのフォーク部の高さを最大径の電線群を支持するときよりも高くして、シャフト部を固定手段で固定し、前記底部で電線群を支持させる。また、フォーク部で最大径と最小径の間の直径の電線群を支持させる場合には、電線群の上下方向への弛みを生じないよう、ハーネス組立用基板からのフォーク部の高さを、最大径の電線群を支持するときの高さから最小径の電線群を支持するときの高さまでの範囲で調整して、電線群を支持させる。このように、電線群の径の大きさにより、ハーネス組立用基板からのフォーク部の高さを調整して電線群を支持させることで、上下方向の電線群の弛みを生じることなく配索することが可能となる。また、フォーク部は、最小径の電線群の外周に沿って内側形状を円弧状に形成した底部と、最大径の電線群の直径と少なくとも同じ長さの幅寸法を有して形成された一対の端部とを有し、底部と端部との間が拡開部となっており、このように構成されるフォーク部のハーネス組立用基板からの高さを調整することにより、電線群の直径に合わせたフォーク部の幅が確保されるので、配索方向に対して直交する左右方向へのずれを生じることなく電線群を支持することが可能となる。
【００１０】
請求項２に記載の発明は、ワイヤハーネスを構成する電線群の幹線部を支持する略Ｕ字形状の幹線支持部と前記電線群の分岐線部を支持する略Ｕ字形状の分岐線支持部とを備えるフォーク部と、該フォーク部に一体に設けられたシャフト部とを有して構成され、ハーネス組立用基板に設けられた貫通孔に挿通された前記シャフト部が固定手段によって前記ハーネス組立用基板に対して固定される布線治具において、前記略Ｕ字形状の幹線支持部を、最小径の幹線部の外周に沿って円弧状に内側形状を形成した底部と、該底部の両側からそれぞれ放射状に延びる拡開部と、該拡開部からそれぞれ延び、最大径の幹線部の直径と少なくとも同じ長さの幅寸法を有して形成された一対の端部とで構成し、また、前記略Ｕ字形状の分岐線支持部を、最小径の分岐線部の外周に沿って円弧状に内側形状を形成した底部と、該底部の両側からそれぞれ放射状に延びる拡開部と、該拡開部からそれぞれ延び、最大径の分岐線部の直径と少なくとも同じ長さの幅寸法を有して形成された一対の端部とで構成し、前記シャフト部を、前記固定手段により上下方向に移動可能に固定することを特徴とする。
【００１１】
かかる構成から、前記フォーク部の幹線支持部および分岐線支持部で、それぞれ最大径の幹線部および最小径の分岐線部を支持させる場合は、ハーネス組立用基板からのフォーク部の高さを任意の高さとして固定手段によってシャフト部を固定し、この状態で電線群を支持させる。このとき、幹線支持部および分岐線支持部は、それぞれ端部の幅寸法が、最大径の幹線部および最大径の分岐線部の直径と少なくとも同じ幅寸法となっているので、最大径の幹線部および最大径の分岐線部を挿入することができ、これを支持できる。
【００１２】
一方で、最小径の幹線部および最小径の分岐線部を幹線支持部および分岐線支持部で支持させる場合、最大径の幹線部および最小径の分岐線部が支持されている部分との間で上下方向への弛みを生じないよう、ハーネス組立用基板からのフォーク部の高さを、最大径の幹線部および最大径の分岐線部を支持するときの位置よりも高い位置となるように調整する。そして、シャフト部を固定手段で固定し、前記最小径の幹線部および最小径の分岐線部を、幹線支持部および分岐線支持部のそれぞれの底部で支持させる。
【００１３】
また、幹線支持部および分岐線支持部で、最大径と最小径の間の直径を有する幹線部および分岐線部を支持させる場合には、電線群の上下方向への弛みを生じないよう、ハーネス組立用基板からのフォーク部の高さを、最大径の幹線部および最大径の分岐線部を支持するときの高さから最小径の幹線部および最大径の分岐線部を支持するときの高さまでの範囲で調整して、これらを支持させる。
【００１４】
このように、幹線部および分岐線部の径の大きさにより、ハーネス組立用基板からのフォーク部の高さを調整して幹線部および分岐線部を支持させることにより、上下方向の電線群の弛みを生じることなく配索することが可能となる。
【００１５】
また、幹線支持部は、最小径の幹線部の外周に沿って内側形状を円弧状に形成した底部と、最大径の幹線部の直径と少なくとも同じ長さの幅寸法を有して形成された一対の端部とをそれぞれ有し、底部と端部との間が拡開部となっており、分岐線支持部は、最小径の分岐線部の外周に沿って内側形状を円弧状に形成した底部と、最大径の分岐線部の直径と同じ長さの幅寸法を有して形成された一対の端部とをそれぞれ有し、底部と端部との間が拡開部となっているので、かかる構成の幹線支持部および分岐線支持部のハーネス組立用基板からの高さを調整することにより、幹線部および分岐線部の径に合わせた幹線支持部および分岐線支持部の幅が確保されるので、配索方向に対して直交する左右方向へのずれを生じることなく幹線部および分岐線部を支持することが可能となる。
【発明の効果】
【００１６】
請求項１に記載の発明によれば、電線群を支持する略Ｕ字形状のフォーク部は、内側形状を最小径の電線群の外周に沿って円弧状に形成した底部と最大径の電線群の直径と少なくとも同じ長さの幅寸法を有して形成された一対の端部とを有して構成され、かかるフォーク部のハーネス組立用基板からの高さを調整して電線群を支持させることにより、ハーネス組立用基板上に配策される電線群を、弛みなどを生じることなく支持することができる。そして、このような状態でハーネス組立用基板上に電線群を支持してワイヤハーネスの組み立てを行うことにより、ワイヤハーネスの高い寸法精度を確保することができる。
【００１７】
請求項２に記載の発明によれば、略Ｕ字形状の幹線支持部および分岐線支持部は、内側形状を最小径の幹線部および分岐線部の外周に沿って円弧状に形成した底部と最大径の幹線部および分岐線部の直径と少なくとも同じ長さの幅寸法を有して形成された一対の端部とを有して構成され、これら幹線支持部と分岐線支持部とを備えるフォーク部のハーネス組立用基板からの高さを調整することにより、ハーネス組立用基板上に配策される電線群を、弛みなどを生じることなく支持することができる。そして、このような状態でハーネス組立用基板上に電線群を支持してワイヤハーネスの組み立てを行うことにより、ワイヤハーネスの高い寸法精度を確保することができる。
【発明を実施するための最良の形態】
【００１８】
以下、図面を参照して本発明を実施するための最良の形態の一例について説明する。 
先ず、本発明の第一実施形態について、図１〜図３を参照して説明する。図１は本発明の第一実施形態の布線治具をハーネス組立用基板に固定した状態を示す図、図２は図１に示す布線治具をハーネス組立用基板に固定する前の分解斜視図、図３は図２に示す状態からハーネス組立用基板に固定用部材を固定したときの状態を示す図である。
【００１９】
図において、布線治具１は、固定用部材２を介してハーネス組立用基板３に固定されている。かかる布線治具１は、上下方向に移動可能にハーネス組立用基板３に固定されており、ワイヤハーネスを構成する電線群４が最大径のときには図１（Ａ）に示す最下位位置で固定され、電線群４が最小径の時には図１（Ｂ）に示す最上位位置で固定されるようになっている。
【００２０】
布線治具１の構成について詳しく説明すると、この布線治具１は、電線群４を支持する正面視略Ｕ字形状のフォーク部５と、フォーク部５に一体に設けられたシャフト部６とを有して構成されている。フォーク部５とシャフト部６は、丸棒状に形成されている。
【００２１】
前記フォーク部５は、２本の棒部材７，８で正面視略Ｕ字形状に形成されている。そして、かかるフォーク部５は、底部９と、底部９の両端からそれぞれ放射状に延びる拡開部１０ａ，１０ｂと、各拡開部１０ａ，１０ｂからそれぞれ互いに平行に延びる一対の端部１１ａ，１１ｂとで構成されている。前記拡開部１０ａと端部１１ａは、棒部材７に形成されており、前記拡開部１０ｂと端部１１ｂは、棒部材８に形成されている。
【００２２】
前記底部９は、その内側９ａの形状が、最小径の電線群４ｂの外周に沿って円弧状に形成されている。また、前記一対の端部１１ａ，１１ｂは、最大径の電線群４ａの直径と同じ長さの幅寸法Ｈ１を有して形成されている。
【００２３】
前記シャフト部６は、フォーク部５とは反対側の先端から雄ねじ部１２が形成されている。さらに、シャフト部６には、凸部１３と、この凸部１３よりもフォーク部５側に形成された平面視円形状のフランジ部１４が設けられている。
【００２４】
前記凸部１３は、シャフト部６に形成された穴（図示省略）に設けられた球体がシャフト部６から突出した部分により構成されている。かかる凸部１３を構成する球体は、スプリング（図示省略）により外側に向かって付勢され、シャフト部６に設けられた前記穴から出没自在となっており、押圧されると前記穴内へ入り込み、押圧が解放されると前記穴から突出するようになっている。
【００２５】
前記固定用部材２について説明すると、この固定用部材２は、円筒部１５とこの円筒部１５の一端側の側端部から突出する鍔部１６とで構成され、一端から他端まで中空部１７が貫通形成されている。中空部１７は、シャフト部６を挿入することができる径を有して形成されている。
【００２６】
前記円筒部１５の側部には、鍔部１６と反対側の端部（他端部）から雄ねじ部１８が形成されている。そして、固定用部材２は、ハーネス組立用基板３に設けられた貫通孔１９に円筒部１５を挿通し、貫通孔１９から突出した雄ねじ部１８にナット２０を螺合することにより、ハーネス組立用基板３に固定されるようになっている。
【００２７】
また、固定用部材２は、前記中空部１７の内周面に、前記凸部１３を嵌合させるための凹部２１を有している。この凹部２１は、シャフト部６を中空部１７に挿入して、凸部１３を嵌合させたときに、ハーネス組立用基板３からのフォーク部５の高さが、図１（Ｂ）に示す、最小径の電線群４ｂを支持するときの高さとなる位置に形成されている。
【００２８】
符号２２は、ダブルナットを示している。このダブルナット２２は、ハーネス組立用基板３に固定された固定用部材２の前記中空部１７に挿通して該中空部１７およびナット２０から突出したシャフト部６の雄ねじ部１２に螺合されるようになっている。
【００２９】
布線治具１を最下位位置で固定する場合には、ハーネス組立用基板３に固定された固定用部材２の中空部１７に挿通したシャフト部６の雄ねじ部１２に螺合させたダブルナット２２とフランジ部１４とで、ハーネス組立用基板３に固定された固定用部材２に対してシャフト部６が固定され、これにより布線治具１はハーネス組立用基板３に固定されるようになっている。この場合、請求項に言う固定手段、すなわち、ハーネス組立用基板３の貫通孔１９に固定用部材２を介して挿通されたシャフト部６をハーネス組立用基板３に対して固定するための固定手段は、ダブルナット２２とフランジ部１４と固定用部材２とで構成される。
【００３０】
一方、布線治具１を最上位位置で固定する場合には、ハーネス組立用基板３に固定された固定部材２の中空部１７に挿通したシャフト部６の雄ねじ部１２に螺合させたダブルナット２２と、固定用部材２の中空部１７の凹部２１に嵌合した凸部１３とで、ハーネス組立用基板３に固定された固定用部材２に対してシャフト部６が固定され、これにより布線治具１はハーネス組立用基板３に固定されるようになっている。この場合、請求項に言う固定手段、すなわち、ハーネス組立用基板３の貫通孔１９に固定用部材２を介して挿通されたシャフト部６をハーネス組立用基板３に対して固定するための固定手段は、ダブルナット２２と凸部１３と固定用部材２とで構成される。
【００３１】
次に、ハーネス組立用基板３上における布線治具１を用いての電線群４の配索について説明する。以下の説明では、ハーネス組立用基板３上において、布線治具１により、最大径の電線群４ａと最小径の電線群４ｂを支持する場合について、図面に基づいて具体的に説明する。
【００３２】
ハーネス組立用基板３上で布線治具１を用いて電線群４を配索するには、先ずハーネス組立用基板３に布線治具１を固定する。布線治具１をハーネス組立用基板３に固定するためには、先ず、固定用部材２をハーネス組立用基板３に固定する。具体的には、固定用部材２は、図３に示すように、円筒部１５をハーネス組立用基板３の貫通孔１９に挿通して、鍔部１６を貫通孔１９の周囲のハーネス組立用基板３に係止させ、貫通孔１９から突出した雄ねじ部１８にナット２０を螺合させてハーネス組立用基板３に固定する。
【００３３】
次に、このようにしてハーネス組立用基板３に固定された固定用部材２の中空部１７に布線治具１のシャフト部６を挿通する。図１（Ａ）に示すように、最大径の電線群４ａを支持する場合には、フランジ部１４が固定用部材２に当接するまでシャフト部６を挿通し、中空部１７およびナット２０から突出した部分のシャフト部６の雄ねじ部１２にダブルナット２２を螺合してシャフト部６を固定用部材２に対して固定する。これにより、布線治具１はハーネス組立用基板３に対して固定される。
【００３４】
そして、このようにしてハーネス組立用基板３に固定された布線治具１のフォーク部５に最大径の電線群４ａを挿入して該フォーク部５で電線群４ａを支持させる。このとき、フォーク部５の端部１１ａ，１１ｂの幅寸法は、最大径の電線群４ａの直径と同じとなっているので、かかる最大径の電線群４ａは、フォーク部５への挿入が可能であり、また、配索方向に対して直交する左右方向にずれることなく、フォーク部５において支持される。
【００３５】
なお、図１（Ａ）において、二点鎖線で示す最大径の電線群４ａは、真円形状となっているが、実際にフォーク部５で支持されるときには、電線群４は複数本の電線が束ねられたものであることから、フォーク部５の形状に追従して変形した状態で支持される。
【００３６】
一方、最小径の電線群４ｂを支持する場合には、最大径の電線群４ａが支持されている部分との間で電線群４の上下方向への弛みを生じないよう、ハーネス組立用基板３からのフォーク部５の高さを調整する。具体的には、図１（Ｂ）に示すように、フォーク部５の高さが、最大径の電線群４ａを支持するときよりも、Ｌだけ高くなるように布線治具１を固定する。
【００３７】
このような位置に布線治具１を固定するには、ハーネス組立用基板３に固定された固定用部材２の中空部１７に、シャフト部６を、凸部１３が凹部２１に嵌合するまで挿通するとともに、中空部１７およびナット２０から突出した部分のシャフト部６の雄ねじ部１２にダブルナット２２を螺合してシャフト部６を固定用部材２に対して固定する。これにより、布線治具１がハーネス組立用基板３に対して固定される。
【００３８】
そして、このようにしてハーネス組立用基板３に固定された布線治具１のフォーク部５に最小径の電線群４ｂを挿入して、該フォーク部５の底部９でこれを支持させる。
【００３９】
このとき、最小径の電線群４ｂは、底部９の内側７ａの形状が、最小径の電線群４ｂの外周に沿って円弧状に形成されているので、最小径の電線群４ｂは、配索方向に対して直交する左右方向にずれることなく、フォーク部５において支持される。また、最小径の電線群４ｂは、その中心Ｏ２のハーネス組立用基板３からの高さが、図１（Ａ）に示すようにフォーク部５で支持された最大径の電線群４ａの中心Ｏ１のハーネス組立用基板３からの高さと同じとなるように、フォーク部５によって支持される。
【００４０】
以上説明した本例の布線治具１によれば、最大径の電線群４ａと最小径の電線群４ｂとを、それぞれの中心Ｏ１，Ｏ２が、上下方向および左右方向ともずれることなく、ハーネス組立用基板３上に支持することができる。これにより、ハーネス組立用基板３上において、電線群４を、弛みなどが生じない状態で配索することができる。したがって、このようにして電線群４が配策されたハーネス組立用基板３でワイヤハーネスの組み立てを行うことにより、ワイヤハーネスの高い寸法精度を確保することができる。
【００４１】
以上、布線治具１により、最大径の電線群４ａと最小径の電線群４ｂを支持する場合について説明したが、最大径と最小径の間の直径の電線群４を支持する場合には、ハーネス組立用基板３上に配索される電線群４の上下方向への弛みを生じないよう、ハーネス組立用基板３からのフォーク部５の高さを、図１（Ａ）に示す最大径の電線群４ａを支持するときの高さから図１（Ｂ）に示す最小径の電線群４ｂを支持するときの高さまで範囲で調整する。具体的には、ハーネス組立用基板３からのフォーク部５の高さを、フォーク部５で支持しようとする電線群４の中心が、最大径の電線群４ａと最小径の電線群４ｂを支持したときの中心Ｏ１，Ｏ２からずれないように調整する。この場合、固定用部材２の中空部１７に、シャフト部６を嵌合させるための凹部を、図示した凹部２１の他に上下方向に複数形成しておき（図示省略）、ハーネス組立用基板３からのフォーク部５の高さが所望の高さとなる位置の前記凹部に凸部１３を嵌合してダブルナット２２を螺合し、凸部１３とダブルナット２２とでシャフト部６を固定用部材２に対して固定する。この場合、シャフト部６をハーネス組立用基板３に対して固定する固定手段は、ダブルナット２２と凸部１３と固定用部材２とで構成される。
【００４２】
以上説明した第一実施形態においては、最大径の電線群４ａを支持する際、シャフト部６はフランジ部１４とダブルナット２２とで固定用部材２に対して固定されるようになっているが、例えば、固定用部材２の中空部１７の、凹部２１よりも鍔部１６側の位置に、凸部１３を嵌合させるための凹部（図示省略）を設けておき、かかる凹部に嵌合した凸部１３とダブルナット２２とでシャフト部６を固定してもよい。
【００４３】
また、前記一対の端部１１ａ，１１ｂは、互いに平行に形成されているが、最大径の電線群４ａの直径と同じ長さの幅寸法Ｈ１かそれ以上の幅寸法を有し、最大径の電線群４ａをフォーク部５に挿入することができるようになっていればよく、互いに平行に形成されていなくともよい。
【００４４】
次に、本発明の第二実施形態について、図４〜図８を参照して説明する。図４は本発明の第二実施形態の布線治具を示す平面図、図５は図４に示す布線治具の正面図、図６は図４に示す布線治具の側面図、図７は図４に示す布線治具をハーネス組立用基板に固定したときの状態を示す正面図、図８は図７の側面図である。
【００４５】
本例の布線治具３０は、幹線部３１と分岐線部３２とを有する電線群３３を支持するフォーク部３４と、フォーク部３４に一体に設けられたシャフト部３５とを有して構成されている。フォーク部３４とシャフト部３５は、丸棒状に形成されている。
【００４６】
前記フォーク部３４は、３本の棒部材３６，３７，３８を有して構成されている。棒部材３７，３８は、電線群３３を構成する幹線部３１の布線方向と平行となるように配置され、棒部材３６は、これら棒部材３７，３８に対し、これら棒部材３７，３８の配置方向（幹線部３１の布線方向）と直交するように配置されている。
【００４７】
このように３本の棒部材３６，３７，３８を有して構成されるフォーク部３４は、幹線部３１の布線方向と直交する方向で、互いに対向する棒部材３６および棒部材３７，３８によって正面視略Ｕ字形状に形成される幹線支持部３９と、幹線部３１の布線方向で互いに対向する棒部材３７，３８の２本によって正面視略Ｕ字形状に形成された分岐線支持部４０とを有して構成されている。
【００４８】
前記幹線支持部３９は、電線群３３の幹線部３１を支持するためのものであり、底部４１と、底部４１の両端からそれぞれ放射状に延びる拡開部４２ａ，４２ｂと、各拡開部４２ａ，４２ｂからそれぞれ互いに平行に延びる一対の端部４３ａ，４３ｂとで構成されている。前記拡開部４２ａと端部４３ａは、棒部材３６に形成されており、前記拡開部４２ｂと端部４３ｂは、棒部材３７，３８に形成されている。
【００４９】
前記底部４１は、その内側４１ａの形状が、最小径の幹線部３１ｂ（図７参照）の外周に沿って円弧状に形成されている。また、前記一対の端部４３ａ，４３ｂは、最大径の幹線部３１ａ（図７参照）の直径と同じ長さの幅寸法Ｈ２を有して形成されている。
【００５０】
前記分岐線支持部４０は、電線群３３の分岐線部３２を支持するためのものであり、底部４４と、底部４４の両端からそれぞれ放射状に延びる拡開部４５ａ，４５ｂと、各拡開部４５ａ，４５ｂからそれぞれ互いに平行に延びる一対の端部４６ａ，４６ｂとで構成されている。前記拡開部４５ａと端部４６ａは、棒部材３７に形成されており、前記拡開部４５ｂと端部４６ｂは、棒部材３８に形成されている。
【００５１】
ここで、本例においては、底部４４は、幹線支持部３９の底部４１の一部を構成しており、拡開部４５ａ，４５ｂは、幹線支持部３９の拡開部４２ｂの一部ないし全部を構成している。また、端部４６ａ，４６ｂは、幹線支持部３９の端部４３ｂを構成している。
【００５２】
前記底部４４は、その内側４４ａの形状が、最小径の分岐線部３２ｂ（図７参照）の外周に沿って円弧状に形成されている。また、前記一対の端部４６ａ，４６ｂは、最大径の分岐線部３２ａ（図７参照）の直径と同じ長さの幅寸法Ｈ３を有して形成されている。
【００５３】
前記シャフト部３５は、第一実施形態における布線治具１のシャフト部６と同一の構成となっており、雄ねじ部４７とシャフト部３５に設けられた穴（図示省略）から出没自在の凸部３８とフランジ部４９とが設けられている。
【００５４】
次に、ハーネス組立用基板３上における布線治具３０を用いての電線群３３の配索について説明する。以下の説明では、ハーネス組立用基板３上において、布線治具３０により、最大径の幹線部３１ａおよび分岐線部３２ａ、最小径の幹線部３１ｂおよび分岐線部３２ｂを支持する場合について、図面に基づいて具体的に説明する。
【００５５】
布線治具３０は、上記第一実施形態と同様、固定用部材２、ナット２０、ダブルナット２２を用いてハーネス組立用基板３に対して固定され、電線群３３を支持する。
【００５６】
最大径の幹線部３１ａおよび分岐線部３２ｂを支持する場合には、図７（Ａ），図８（Ａ）に示すように、上記第一実施形態と同様にしてハーネス組立用基板３に固定された固定用部材２の中空部１７に、フランジ部４９が固定用部材２に当接するまでシャフト部３５を挿通して雄ねじ部４７にダブルナット２２を螺合してシャフト部３５をハーネス組立用基板３に対して固定する。すなわち、この場合、シャフト部３５をハーネス組立用基板３に対して固定するための固定手段は、フランジ部４９とダブルナット２２と固定用部材２とで構成される。そして、このようにして固定された布線治具３０の幹線支持部３９と分岐線支持部４０とで、それぞれ、最大径の幹線部３１ａと最大径の分岐線部３２ａを支持させる。このとき、幹線支持部３９の端部４３ａ、４３ｂの幅寸法は、最大径の幹線部３１ａの直径と同じとなっているので、最大径の幹線部３１ａは、幹線支持部３９への挿入が可能であり、また、配索方向に対して直交する左右方向にずれることなく、幹線支持部３９において支持される。また、分岐線支持部４０の端部４６ａ、４６ｂの幅寸法は、最大径の分岐線部３２ａの直径と同じとなっているので、最大径の分岐線部３２ａは、分岐線支持部４０への挿入が可能であり、また、配索方向に対して直交する左右方向にずれることなく、分岐線支持部４０において支持される。
【００５７】
なお、図７（Ａ），図８（Ａ）において、二点鎖線で示す最大径の幹線部３１ａおよび分岐線部３２ａの形状は、真円形状となっているが、実際に幹線支持部３９および分岐線支持部４０で支持されるときには、電線群３３は複数本の電線が束ねられたものであることから、幹線支持部３９および分岐線支持部４０の形状に追従して変形した状態で支持される。
【００５８】
一方、最小径の幹線部３１ｂおよび分岐線部３２ｂを支持する場合には、最大径の幹線部３１ｂおよび分岐線部３２ｂが支持されている部分との間で、電線群３３の上下方向への弛みを生じないよう、ハーネス組立用基板３からの幹線支持部３９および分岐線支持部４０の高さを調整する。具体的には、図７（Ｂ），図８（Ｂ）に示すように、幹線支持部３９および分岐線支持部４０の高さが、最大径の幹線部３１ａおよび分岐線部３２ａを支持するときよりも、Ｌだけ高くなるように布線治具１を固定する。
【００５９】
このような位置に布線治具１を固定するには、ハーネス組立用基板３に固定された固定用部材２の中空部１７に、シャフト部３５を、凸部４８が凹部２１に嵌合するまで挿通するとともに、中空部１７およびナット２０から突出した部分のシャフト部３５の雄ねじ部４７にダブルナット２２を螺合してシャフト部３５を固定用部材２に対して固定する。これにより、布線治具３０がハーネス組立用基板３に対して固定される。
【００６０】
そして、このようにしてハーネス組立用基板３に固定された布線治具３０の幹線支持部３９および分岐線支持部４０に、それぞれ最小径の幹線部３１ｂおよび分岐線部３２ｂを挿入して、底部４１および底部４４でそれぞれを支持させる。
【００６１】
このとき、最小径の幹線部３１ｂは、底部４１の内側４１ａの形状が最小径の幹線部３１ｂの外周に沿って円弧状に形成されているので、配索方向に対して直交する左右方向にずれることなく、幹線支持部３９において支持される。また、最小径の分岐線部３２ｂは、底部４４の内側４４ａの形状が最小径の分岐線部３２ｂの外周に沿って円弧状に形成されているので、配索方向に対して直交する左右方向にずれることなく、分岐線支持部４０において支持される。
【００６２】
さらに、最小径の幹線部３１ｂおよび分岐線部３２ｂは、それぞれの中心Ｏ４，Ｏ６のハーネス組立用基板３からの高さが、幹線支持部３９で支持された最大径の幹線部３１ａの中心Ｏ３と分岐線支持部４０で支持された最大径の分岐線部３２ａの中心Ｏ５のハーネス組立用基板３からの高さと同じとなるように、支持される。
【００６３】
以上説明した本例の布線治具３０によれば、最大径の幹線部３１ａおよび分岐線部３２ａと最小径の幹線部３１ｂおよび分岐線部３２ｂとを、各中心Ｏ３，Ｏ４，Ｏ５，Ｏ６が上下方向にずれることなく、また、中心Ｏ３と中心Ｏ４、中心Ｏ５と中心Ｏ６が、左右方向にずれることなく、幹線部３１および分岐線部３２を支持することができる。これにより、ハーネス組立用基板３上において、電線群３３を、弛みなどが生じない状態で配索することができる。したがって、このようにして電線群３３が配策されたハーネス組立用基板３でワイヤハーネスの組み立てを行うことにより、ワイヤハーネスの高い寸法精度を確保することができる。
【００６４】
以上、布線治具３０により、最大径の幹線部３１ａおよび分岐線部３２ａと、最小径の幹線部３１ｂおよび分岐線部３２ｂを支持する場合について説明したが、最大径と最小径の間の直径の幹線部３１および分岐線部３２を支持する場合には、ハーネス組立用基板３上に配索される電線群３３の上下方向への弛みを生じないよう、ハーネス組立用基板３からの幹線支持部３９および分岐線支持部４０の高さを、図７（Ａ），図８（Ａ）に示す最大径の幹線部３１ａおよび分岐線部３２ａを支持するときの高さから、図７（Ｂ），図８（Ｂ）に示す最小径の幹線部３１ｂおよび分岐線部３２ｂを支持するときの高さまでの範囲で調整する。
【００６５】
具体的には、幹線支持部３９で支持された幹線部３１の中心および分岐線支持部４０で支持された分岐線部３２の中心が、幹線支持部３９で支持された最大径の幹線部３１ａの中心Ｏ３と最小径の幹線部３１ｂの中心Ｏ４、および、分岐線支持部４０で支持された最大径の分岐線部３２ａの中心Ｏ５と最小径の分岐線部３２ｂの中心Ｏ６からずれないように、ハーネス組立用基板３からの幹線支持部３９および分岐線支持部４０の高さを調整する。この場合、固定用部材２の中空部１７に、シャフト部３５を嵌合させるための凹部を、図示した凹部２１の他に上下方向に複数形成しておき（図示省略）、ハーネス組立用基板３からの幹線支持部３９および分岐線支持部４０の高さが所望の高さとなる位置の前記凹部に凸部４８を嵌合してダブルナット２２を螺合し、凸部４８とダブルナット２２とでシャフト部３５を固定用部材２に対して固定する。この場合、シャフト部３５をハーネス組立用基板３に対して固定する固定手段は、ダブルナット２２と凸部４８と固定用部材２とで構成される。
【００６６】
上記第二実施形態においては、最大径の幹線部３１ａおよび分岐線部３３ａを支持する際、シャフト部３５は、フランジ部４９とダブルナット２２とで固定用部材２に対して固定されるようになっているが、例えば、固定用部材２の中空部１７の、凹部２１よりも鍔部１６側の位置に、凸部４８を嵌合させるための凹部（図示省略）を設けておき、かかる凹部に嵌合した凸部４８とダブルナット２２とでシャフト部３５を固定してもよい。
【００６７】
また、前記一対の端部４３ａ，４３ｂおよび一対の端部４６ａ，４６ｂは、互いに平行に形成されているが、本発明はこのようなものに限られるものではない。すなわち、４３ａ，４３ｂおよび一対の端部４６ａ，４６ｂは、それぞれ、最大径の幹線部３１ａおよび最大径の分岐線部３２ａの直径と同じ長さの幅寸法Ｈ２，Ｈ３かそれ以上の幅寸法を有し、最大径の幹線部３１ａおよび最大径の分岐線部３２ａを、幹線支持部３９および分岐線支持部４０に挿入することができるようになっていればよく、互いに平行に形成されていなくともよい。
【００６８】
さらに、上記第一、第二実施形態において、シャフト部６，３５をハーネス組立用基板に対して固定するための固定手段は、シャフト部６，３５を上下方向に移動できるようにハーネス組立用基板３に対して固定できるものであればどのような構成であってもよい。
【図面の簡単な説明】
【００６９】
【図１】本発明の第一実施形態の布線治具をハーネス組立用基板に固定した状態を示す図。
【図２】図１に示す布線治具をハーネス組立用基板に固定する前の分解斜視図。
【図３】図２に示す状態からハーネス組立用基板に固定用部材を固定したときの状態を示す図。
【図４】本発明の第二実施形態の布線治具を示す平面図。
【図５】図４に示す布線治具の正面図。
【図６】図４に示す布線治具の側面図。
【図７】図４に示す布線治具をハーネス組立用基板に固定したときの状態を示す正面図。
【図８】図７の側面図。
【符号の説明】
【００７０】
１，３０    布線治具
２    固定用部材
３    ハーネス組立用基板
４    電線群
４ａ    最大径の電線群
４ｂ    最小径の電線群
５，３４    フォーク部
６，３５    シャフト部
９，４１，４４    底部
９ａ，４１ａ，４４ａ    内側
１０ａ，１０ｂ，４２ａ，４２ｂ，４５ａ，４５ｂ    拡開部
１１ａ，１１ｂ，４３ａ，４３ｂ，４６ａ，４６ｂ    端部
１３，４８    凸部
１４，４９    フランジ部
１９    貫通孔
２２    ダブルナット
３１    幹線部
３１ａ    最大径の幹線部
３１ｂ    最小径の幹線部
３２    分岐線部
３２ａ    最大径の分岐線部
３２ｂ    最小径の分岐線部
３３      電線群
３９    幹線支持部
４０    分岐線支持部
【図１】
2006120404.tif 000003
【図２】
2006120404.tif 000004
【図３】
2006120404.tif 000005
【図４】
2006120404.tif 000006
【図５】
2006120404.tif 000007
【図６】
2006120404.tif 000008
【図７】
2006120404.tif 000009
【図８】
2006120404.tif 000010